(57)【要約】      （修正有）【課題】製造コストを抑えつつ防滴性能に優れたロッカー、とくに、防滴性能と防犯を両立させる屋外配置用のロッカーを提供する。【解決手段】屋外に配置するロッカーであって、各庫体１１にロック用ケーシング１２を配するロッカー装置において、各庫体１１の開閉扉２０を、各庫体の開口部を構成する框１４よりも僅かに突出させて配設する一方、各庫体の上端部近傍に左右方向に延びる雨樋３０を設け、雨樋の左右一方の端部３３を、開閉扉２０の左右一方の側面端部から露出させ、雨滴を外部に排出させる。【選択図】図１
0003203772.tif 000002
【実用新案登録請求の範囲】
【請求項１】
各庫体にロック用ケーシングを配するロッカー装置において、
各庫体の開閉扉を、
当該各庫体の開口部を構成する框よりも僅かに突出させて配設する一方、
前記各庫体の上端部近傍に左右方向に延びる雨樋を設け、
当該雨樋の左右一方の端部を、開閉扉の左右一方の側面端部から露出させ、雨滴を外部に排出させることを特徴とする屋外ロッカー。
【請求項２】
開閉扉は、多軸蝶番を介して開閉可能とする一方、
この開閉扉が庫体開口部を閉じた状態において、庫体の左右いずれか一方の縦框を当該開閉扉が被覆するよう配設することを特徴とする請求項１記載の屋外ロッカー。
【請求項３】
開閉扉の上端の上方位置に、
左右方向に延びる横仕切板を突出させて配することを特徴とする請求項１または請求項２記載の屋外ロッカー。
【考案の詳細な説明】
【技術分野】
【０００１】
本考案は、屋外に配置するコインロッカーや宅配物保管ロッカー等に係り、とくに雨水等の影響を軽減するロッカーの構造に関する。
【背景技術】
【０００２】
コインロッカーや宅配物保管ロッカーは、屋内に配置する場合は雨水や降雪の影響を受けないが、屋外に配置する場合は、簡単な雨よけの天蓋設備を設けても、風の影響などによって、雨水等が開閉扉の隙間（とくに開閉扉の上部隙間）から庫体内部に浸入する場合がある。
【０００３】
このような雨水等の影響から、庫体内部の手荷物等（預け入れ荷物）を守るためには、ロッカーの外周全体に排水溝を設けるか、開閉扉の封密性を高める等の対策を要する。
【０００４】
従来、防滴性能を高めたコインロッカーとしては下記特許文献１がある。これは、コインロッカーの開閉扉を未使用時に閉状態にしておくことによって、風雨からコインロッカー内部を守るものである。いわゆる常閉型のコインロッカーである。
【先行技術文献】
【特許文献】
【０００５】
【特許文献１】特開２０１２−１０４１６２
【考案の開示】
【考案が解決しようとする課題】
【０００６】
問題は、特許文献１のような常閉型のコインロッカーであっても、風雨が強い場合は、雨滴がロッカー内部に浸入する場合がある点である。
【０００７】
このため、常閉型のロッカーであっても、ケース外周等に排水溝を設けたり、開閉扉のシールを強化する等の対策がとられた。
【０００８】
しかし、ロッカーの外周全体に排水溝を設けるのは製造コストが嵩むという難があり、開閉扉の封密性を高める手段は、封密用シール材の劣化等により、長期の防滴効果を保証できない場合もあるという難がある。
【０００９】
また、屋外に配置するロッカー（コインロッカー／宅配物ロッカー等）は、開閉扉をこじ開ける等の犯罪に対処する必要もあるため、防犯と防滴を両立させる必要がある。このため、単純に、開閉扉まわりの封密性を改善すれば良いというわけではない場合も少なくない。
【００１０】
そこで、本考案は、基本的な第一の目的として、製造コストを抑えつつ防滴性能に優れたロッカーを提供することにあり、さらに望ましい第二の目的として、防滴性能と防犯を両立させることの出来る屋外配置用のロッカー（コインロッカー、宅配物の保管／受け取りロッカー等）を提供することにある。
【課題を解決するための手段】
【００１１】
前記目的を達成するため、本考案に係る屋外ロッカーは、各庫体にロック用ケーシングを配するロッカー装置を技術的前提として、各庫体の開閉扉を、当該各庫体の開口部を構成する框よりも僅かに突出させて配設する一方、前記各庫体の上端部近傍に左右方向に延びる雨樋を設け、当該雨樋の左右一方の端部を、開閉扉の左右一方の側面端部から露出させ、雨滴を外部に排出させる（請求項１）。
【００１２】
雨滴が入りやすい各庫体の上部に雨樋を設け、雨樋の水滴を開閉扉の端面から外部に排出することによって、ロッカー全体に凹溝を形成するよりも格段に製造コストを抑えつつ、確実な防滴効果を得ることが可能となる。
【００１３】
開閉扉の左右端面から雨滴を排出するため、開閉扉は、ロッカーの各庫体の開口部を画成する框（かまち）よりも突出させて設ける。雨滴を排出する程度の突出量を確保できればよいので、突出量は僅かで良い。
【００１４】
開閉扉は、多軸蝶番を介して開閉可能とする一方、この開閉扉が庫体開口部を閉じた状態において、庫体の左右いずれか一方の縦框を当該開閉扉が被覆するよう配設する場合がある（請求項２）。
【００１５】
開閉扉は、各庫体の開口部を画成する框（かまち）よりも突出させて設けるが、開閉構造としては、多軸蝶番（いわゆるスライド蝶番）を介して行うことが望ましい。開閉扉によって、左右いずれか一方の框を覆えば、工具を用いたこじ開けを困難化させるので、防犯性能が高まる。
【００１６】
開閉扉の上端の上方位置に、左右方向に延びる横仕切板を突出させて配する場合がある（請求項３）。
【００１７】
各庫体に設けた横仕切板が、いわゆる庇（ひさし）としての効果をもつので、当該横仕切板が、開閉扉の上端部から各庫体の内部に入る雨滴の量を、ある程度の割合で確実に軽減する機能を営む。
【考案の効果】
【００１８】
請求項１の構成によれば、製造コストを抑えつつ防滴性能に優れたロッカーを提供でき、請求項２の構成によれば、防滴性能と防犯を両立させることが可能となる。請求項３の構成によれば、防滴性能をさらに向上させることが出来る。
【図面の簡単な説明】
【００１９】
【図１】第一の実施形態に係る屋外ロッカーを示す斜視図である。
【図２】第一の実施形態に係る雨樋を示す平面図である。
【図３】第一の実施形態に係る雨樋を示す断面図である。
【図４】第二の実施形態に係る屋外ロッカーを示す断面図である。
【図５】第三の実施形態に係る屋外ロッカーを示す斜視図である。
【考案を実施するための形態】
【００２０】
図１、図２は、第一の実施形態に係る屋外ロッカーを例示するものである。この屋外ロッカー１０は、各庫体１１にロック用ケーシング１２を配するロッカー装置を技術的な前提とする。各庫体１１は、例えば、一般公共施設等に設置されるコインロッカーと同様、上下左右方向に複数配設することが望ましい。この屋外ロッカー１０は、実用的にはコインロッカー専用、コインロッカーと宅配物の保管／受け取り兼用、宅配物の保管／受け取り専用ロッカー等、各種の用い方ができる。
【００２１】
また、各庫体１１の開閉扉２０は、閉じたときに、各庫体１１の開口部を構成する框１４よりも僅かに突出するよう配設する。
【００２２】
そして、各庫体１１の上端部近傍に左右方向に延びる雨樋３０を設け、雨樋３０の左右一方の端部３３を、開閉扉２０の左右一方の側面端部から露出させ、雨滴３０を各庫体１１の外部に排出させる。以下、具体的に説明する。
【００２３】
図３に示すように、雨樋３０は、適宜形状、例えば断面略Ｕ字状に形成し、適当部位、例えば、長手方向の左右両端部を庫体１１に固定する。固定手段は、溶接、ネジ止め等、適宜手段を介して行う。
【００２４】
例えば、雨樋３０の長手方向の左右両端部に、断面略Ｌ字状を呈する固定フランジ３５を設けて、当該固定フランジ３５を介し、雨樋３０の左右両端部を庫体１１の上部折曲部１７に固定する等である。この場合は、例えば、固定フランジ３５の下部水平面３５−１を雨樋３０の底板３０−１に固定する一方、固定フランジ３５の垂直立上部３５−２を、上部折曲部１７に固定する。雨樋３０は、端部３３（図１、図２参照）に向かって僅かに傾斜させることが望ましい。
【００２５】
雨樋３０の、短手方向端部または端部近傍には立上部３８を設ける。雨滴を、底板３０−１に沿って端部３３へ案内できるようにするためである。また、庫体１１の開口に対して外側となる立上部３８（３８−１）は、開閉扉２０の内側に収まるように位置設計し、庫体１１の開口に対して内側となる立上部３８（３８−２）は、庫体１１の開口より内側に位置させる。開閉扉２０を閉じたときに、開閉扉２０の上部の隙間Ｓから入り込む可能性のある雨滴を、雨樋３０がしっかりと受け止めることが出来るようにするためである。なお、図３では、理解を容易にするために隙間Ｓを大きく描いたが、実際には、開閉扉２０と庫体１１の開口部は密着させるので、隙間Ｓは設計誤差の範囲で生じうる、きわめて小さなものである。複数ある庫体１１のなかには、隙間Ｓが生じないものも存在するが、経年劣化による位置ずれ等があっても、雨樋３０が雨滴を受け止める構造となっている。
【００２６】
図１に戻り、開閉扉２０のヒンジ２７は、好ましくは多軸蝶番（例えば二軸のスライドヒンジ等）を使用する。多軸蝶番を用いると、開くときにドアがヒンジ方向にスライドしつつ手前側（利用者側）に回動するので、開閉扉２０の左右一端（この実施形態では右側）を框１４よりも前方に配設できる。こうすると、框１４は、開閉扉２０に被覆されて隠れるので、工具を差し込んで回動させる隙間がなくなり、防犯性能が高くなる。本実施形態では、開閉扉２０の右側をヒンジ２７によって軸支し、左開けの場合を例示しているが、開閉扉２０を右開けとしても構わない。その場合は、開閉扉２０の内側の左にヒンジ（２７）を配設し、ロック用ケーシング１２を右側に配設する。
【００２７】
従って、かかる構成によれば、雨よけの天蓋設備が破損した場合や風雨が強い場合等に、開閉扉２０の上の隙間から雨滴が侵入しても、当該雨滴は、雨樋３０を介して端部３３から庫体１１の外部へ排出される。構造が簡易なので、製造コストも抑えることが出来、外部からの影響を受けない部位に雨樋３０を設けるので、防滴効果の信頼性も長期にわたって保証できる。
【００２８】
図４は、第二の実施形態であり、開閉扉２０の上端の上方位置に、横仕切板４０を設ける場合を例示するものである。この横仕切板４０は、庫体１１の上下仕切板を折曲して突設させても良いし、断面略Ｌ字状の長尺材を適宜手段、例えば溶接またはネジ止めによって固定して設けても良い。
【００２９】
この横仕切板４０は、開閉扉２０の上端部に沿って配設するが、より好ましくは、開閉扉２０の左右端部よりも若干外側に突出させて設ける。雨滴の侵入を確実に防止するためである。
【００３０】
かかる横仕切板４０を設けると、上から下に向かって流下する雨滴が庫体１１に入り込むことを防止できるほか、風雨が強い場合における横方向からの雨滴の侵入も減らすことが出来る。
【００３１】
図５は、第三の実施形態であり、ロック用ケーシング１２の上に、雨滴ガイド４４を設けた場合を例示するものである。
【００３２】
雨滴ガイド４４は、適宜形状、例えば台形型、三角形型等に成形し、雨樋３０の端部３３から滴下する雨水を傾斜面４４−２に沿って案内し、ロック用ケーシング１２に滴下する雨水が当たらないようにするものである。
【００３３】
この雨滴ガイド４４は、例えば、防錆処理を施した肉厚の金属板、樹脂板、木製板等を用いる。必要に応じて雨水を案内する溝を形成しても良いが、溝のない平板材であっても雨水をガイドする機能は営むことが出来る。雨滴ガイド４４の肉厚は、例えば５〜１５ｍｍ程度とし、鍵の開け閉めに支障がでないようにすることが望ましい。
【００３４】
かかる雨滴ガイド４４を設けた場合は、雨樋３０から排出される雨滴の量が多い場合にも、ロック用ケーシング１２に滴下水が直接当たることを避けることが出来る。ロック用ケーシング１２に用いるキーシステムが、電気錠の場合は、できるだけ水の影響を避けることが望ましいので、雨滴ガイド４４を設けることにより、雨水の影響を最小限に抑えることが出来る。
【００３５】
本考案に係る屋外ロッカーは前記実施形態のものに限定されない。例えば、一軸ヒンジを用いても、開閉扉２０の表面を框１４よりも前方に突出させることは可能であり、その場合は、雨樋３０の端部３３を開閉扉２０の左端部（または右端部）から外部に突出させることで、雨滴の排除は可能となる。
【００３６】
雨樋３０の断面形状は、Ｕ字状に限らない。他の形状、例えば断面略Ｖ字状、半円状等、排水機能を営む形状であれば作用効果は同じだからである。
【００３７】
横仕切板４０は、水平に設けても良いが、雨樋３０の端部３３方向に若干傾斜させ、端部３３の上位置から雨水を排出させることが望ましい。
【符号の説明】
【００３８】
１０  屋外ロッカー
１１  庫体
１２  ロック用ケーシング
１４  框
１７  上部折曲部
２０  開閉扉
２７  ヒンジ
３０  雨樋
３０−１  （雨樋の）底板
３３  （雨樋の）端部
３５  固定フランジ
３５−１  （固定フランジの）下部水平面
３５−２  （固定フランジの）垂直立上部
３８、３８−１、３８−２  （雨樋の）立上部
４０  横仕切板
４４  雨滴ガイド
４４−２  傾斜面
Ｓ  隙間
【図１】
0003203772.tif 000003
【図２】
0003203772.tif 000004
【図３】
0003203772.tif 000005
【図４】
0003203772.tif 000006
【図５】
0003203772.tif 000007